(57)【特許請求の範囲】
【請求項１】
平面視矩形状の床部と、この床部の長手方向の一側縁部に設けられる手摺壁とを有し、側断面視Ｌ字型に形成されたバルコニーユニットの入隅部に取り付けられており、
前記床部の上面に、該床部の短手方向に沿って設けられる横材と、
前記横材の手摺壁側端部から前記手摺壁の高さ方向に沿って設けられ、上端部が前記手摺壁に固定されるとともに、下端部が前記床部に固定される縦材と、
前記縦材の上端部と、前記横材の手摺壁とは反対側の端部との間に架設される斜材とを備えており、
前記縦材は、この縦材の上端部に設けられるとともに、吊りワイヤー係止用の吊り金具を取り付けるための吊り金具取付部を有していることを特徴とする吊り治具。
【請求項２】
請求項１に記載の吊り治具において、
前記縦材の上端部には、この縦材の上端部と前記手摺壁の裏面とを連結する連結ブラケットが取り付けられていることを特徴とする吊り治具。
【請求項３】
請求項１または２に記載の吊り治具において、
前記縦材の下端部には、前記床部の上面に載置固定される固定プレートが一体的に設けられており、
この固定プレートには、前記床部の上面の縦材固定位置に形成されるボルト孔に対応するボルト孔が形成されていることを特徴とする吊り治具。
【請求項４】
請求項３に記載の吊り治具において、
前記縦材の下端部側面には、前記固定プレートを露出させるための作業用開口部が形成されていることを特徴とする吊り治具。
【請求項５】
請求項１〜４のいずれか一項に記載の吊り治具において、
前記横材には、この横材と前記床部とを同時に把持することによって、これら横材と床部とを連結する把持ブラケットが取り付けられていることを特徴とする吊り治具。
【請求項６】
請求項１〜５のいずれか一項に記載の吊り治具を、バルコニーユニットの入隅部に取り付けてなる吊り治具の取付構造であって、
前記床部の長手方向の他側縁部には、吊りワイヤー係止用の吊り金具を取り付けるための吊り金具取付部が、この床部の長手方向両端部付近に位置するようにして設けられており、
前記吊り治具は、前記床部の長手方向両端部に配置されており、
前記横材は、前記床部の上面に、該床部の短手方向に沿って設けられており、
前記縦材は、上端部が前記手摺壁に固定されており、下端部が前記床部に固定されていることを特徴とする吊り治具の取付構造。
【請求項７】
請求項１〜５のいずれか一項に記載の吊り治具を用いるバルコニーユニットの吊り上げ方法であって、
前記吊り治具を、前記床部の長手方向両端部に配置するとともに、この吊り治具の横材を前記床部の上面に、該床部の短手方向に沿って設け、さらに、前記縦材の上端部を前記手摺壁に固定するとともに、下端部を前記床部に固定し、
前記縦材の上端部に設けられた吊り金具取付部に、吊りワイヤー係止用の吊り金具を取り付け、
前記床部の長手方向の他側縁部に、この床部の長手方向両端部付近に位置するようにして設けられた吊り金具取付部に、吊りワイヤー係止用の吊り金具を取り付け、
前記縦材上端部の吊り金具と、前記床部の吊り金具とに吊りワイヤーを係止してからバルコニーユニットを吊り上げることを特徴とするバルコニーユニットの吊り上げ方法。
【発明の詳細な説明】
【技術分野】
【０００１】
本発明は、バルコニーユニットを吊り上げるための吊り治具と、この吊り治具をバルコニーユニットに取り付けてなる構造と、この吊り治具を用いてバルコニーユニットを吊り上げる方法に関する。
【背景技術】
【０００２】
従来、予め工場で製造された複数の建物ユニットを建築現場で相互に接合するユニット式建物が利用されている。このようなユニット式建物によれば、建物の内外装等の殆ど全ての作業が工場で行われるため、建築現場での作業が軽減され、短期間で建物を完成することができる。
ユニット式建物にバルコニーを設ける場合、床部と手摺壁部とを有する断面Ｌ字型のバルコニーユニットを予め工場で製造し、このバルコニーユニットを建築現場で建物本体に接合することが行われている（例えば、特許文献１参照）。
【先行技術文献】
【特許文献】
【０００３】
【特許文献１】特開平１０−０１８４１１号公報
【発明の概要】
【発明が解決しようとする課題】
【０００４】
ところで、バルコニーユニットの手摺壁として、ＰＡＬＣ（プレキャストオートクレーブド軽量気泡コンクリート）等の厚みのある外壁材が用いられる場合がある。
ところが、ＰＡＬＣ等のコンクリート製の外壁材は重量物であり、例えばバルコニー床部の四つのコーナー部分に吊りワイヤーを係止した状態で吊り上げてしまうと、バルコニーユニット自体が重量のある手摺壁側に傾いてしまう場合がある。このように傾いてしまうと、運搬作業や施工が困難となる場合がある。
また、このように外壁材が重量物であるため、輸送時において、バルコニー床部と手摺壁との間の接合部分等には、振動等により大きな負荷がかかる場合がある。
【０００５】
本発明の課題は、輸送時においてバルコニーユニットを補強するとともに、吊り上げ時においてバルコニーユニットの傾きを確実に防ぐことである。
【課題を解決するための手段】
【０００６】
請求項１に記載の発明は、吊り治具１０であって、例えば図１〜図４に示すように、平面視矩形状の床部２と、この床部２の長手方向の一側縁部に設けられる手摺壁３とを有し、側断面視Ｌ字型に形成されたバルコニーユニット１の入隅部１ａに取り付けられており、
前記床部２の上面に、該床部２の短手方向に沿って設けられる横材１１と、
前記横材１１の手摺壁３側端部から前記手摺壁３の高さ方向に沿って設けられ、上端部が前記手摺壁３に固定されるとともに、下端部が前記床部２に固定される縦材１２と、
前記縦材１２の上端部と、前記横材１１の手摺壁３とは反対側の端部との間に架設される斜材１３とを備えており、
前記縦材１２は、この縦材１２の上端部に設けられるとともに、吊りワイヤー４係止用の吊り金具５を取り付けるための吊り金具取付部１４を有していることを特徴とする。
【０００７】
請求項１に記載の発明によれば、前記横材１１と、前記縦材１２と、前記斜材１３とによって吊り治具１０を略トラス状に形成することができる。このような吊り治具１０を、前記縦材１２の上端部を前記手摺壁３に固定するとともに、下端部を前記床部２に固定するようにして、前記バルコニーユニット１の入隅部１ａに取り付けることによって、前記床部２と手摺壁３との間の接合部分等を補強することができる。これによって、例えば輸送時において前記床部２と手摺壁３との間の接合部分等に大きな負荷がかかったとしても、バルコニーユニット１の破損を確実に防止することができる。
また、前記縦材１２の上端部に、前記吊り金具取付部１４が設けられているので、この吊り金具取付部１４に取り付けられる吊り金具５は、例えば吊り金具５を前記床部２に取り付ける場合に比して高い位置に設けられることになる。また、このような高い位置に設けられる吊り金具５が前記手摺壁３側に配置されることから、この高い位置の吊り金具５よりも低い位置に、前記手摺壁３側に配置されない吊り金具５を設けることによって、バルコニーユニット１を吊り上げた際に、バルコニーユニット１が重量のある手摺壁３側に傾くことを確実に防ぐことができる。これによって、バルコニーユニット１の運搬作業や施工を容易に行うことができる。
しかも、工場等で製造されたバルコニーユニット１に吊り治具１０を取り付け、この吊り治具１０を用いてバルコニーユニット１を輸送車両の荷台に運搬し、補強を兼ねて吊り治具１０を取り付けたまま輸送し、現場では吊り治具１０を用いて吊り上げてバルコニーユニット１の施工を行うことができる。すなわち、バルコニーユニット１が工場等で製造されてから、現場で建物本体に接合されるまでの間の作業効率を向上させることができるので、利便性に優れる。
【０００８】
請求項２に記載の発明は、例えば図１および図２に示すように、請求項１に記載の吊り治具１０において、
前記縦材１２の上端部には、この縦材１２の上端部と前記手摺壁３の裏面とを連結する連結ブラケット１５が取り付けられていることを特徴とする。
【０００９】
請求項２に記載の発明によれば、前記連結ブラケット１５によって、前記縦材１２の上端部と前記手摺壁３の裏面とを連結できるので、前記縦材１２の上端部を、前記手摺壁３の裏面に確実に固定することができる。したがって、例えば前記縦材１２が前記床部２上に確実かつ強固に立設された状態であれば、この縦材１２を介して、前記手摺壁３を補強できることになる。
【００１０】
請求項３に記載の発明は、例えば図２および図４に示すように、請求項１または２に記載の吊り治具１０において、
前記縦材１２の下端部には、前記床部２の上面に載置固定される固定プレート１６が一体的に設けられており、
この固定プレート１６には、前記床部２の上面の縦材１２固定位置に形成されるボルト孔に対応するボルト孔が形成されていることを特徴とする。
【００１１】
請求項３に記載の発明によれば、前記固定プレート１６を前記床部２の上面に載置し、この固定プレート１６と前記床部２の上面の縦材１２固定位置とをボルト接合することによって、前記縦材１２を、前記床部２上に確実かつ強固に立設させることができる。これによって、前記縦材１２の上端部が固定された手摺壁３を補強することができる。
【００１２】
請求項４に記載の発明は、例えば図２に示すように、請求項３に記載の吊り治具１０において、
前記縦材１２の下端部側面には、前記固定プレート１６を露出させるための作業用開口部１２ａが形成されていることを特徴とする。
【００１３】
請求項４に記載の発明によれば、前記作業用開口部１２ａから固定プレート１６を露出させることができるので、この作業用開口部１２ａから手や工具を入れることができるので、この固定プレート１６と前記床部２とを確実かつ容易に接合させることができる。
【００１４】
請求項５に記載の発明は、例えば図１〜図４に示すように、請求項１〜４のいずれか一項に記載の吊り治具１０において、
前記横材１１には、この横材１１と前記床部２とを同時に把持することによって、これら横材１１と床部２とを連結する把持ブラケット１７が取り付けられていることを特徴とする。
【００１５】
請求項５に記載の発明によれば、前記把持ブラケット１７によって、前記横材１１と床部２とを同時に把持することによって、これら横材１１と床部２とを確実に連結することができる。したがって、吊り治具１０の取付作業時に、この把持ブラケット１７によって前記横材１１と床部２とを連結しておけば、吊り治具１０が転倒することを確実に防ぐことができる。これによって、吊り治具１０を床部２上に安定的に載置した状態で、前記縦材１２を床部２に固定したり、手摺壁３に固定したりすることができるので、吊り治具１０の取付作業を容易かつ確実に行うことができる。
【００１６】
請求項６に記載の発明は、例えば図１〜図４に示すように、請求項１〜５のいずれか一項に記載の吊り治具１０を、バルコニーユニット１の入隅部１ａに取り付けてなる吊り治具１０の取付構造であって、
前記床部２の長手方向の他側縁部には、吊りワイヤー４係止用の吊り金具５を取り付けるための吊り金具取付部６が、この床部２の長手方向両端部付近に位置するようにして設けられており、
前記吊り治具１０は、前記床部２の長手方向両端部に配置されており、
前記横材１１は、前記床部２の上面に、該床部２の短手方向に沿って設けられており、
前記縦材１２は、上端部が前記手摺壁３に固定されており、下端部が前記床部２に固定されていることを特徴とする。
【００１７】
請求項６に記載の発明によれば、前記吊り治具１０が、前記縦材１２の上端部を前記手摺壁３に固定するとともに、下端部を前記床部２に固定するようにして、前記バルコニーユニット１の入隅部１ａに取り付けているので、前記床部２と手摺壁３との間の接合部分等を補強することができる。これによって、例えば輸送時において前記床部２と手摺壁３との間の接合部分等に大きな負荷がかかったとしても、バルコニーユニット１の破損を確実に防止することができる。
また、前記床部２の吊り金具取付部６と、この吊り金具取付部６よりも高い位置に設けられる縦材１２上端部の吊り金具取付部１４とに、それぞれ吊り金具５を取り付けることができるので、バルコニーユニット１を吊り上げた際に、バルコニーユニット１が重量のある手摺壁３側に傾くことを確実に防ぐことができる。これによって、バルコニーユニット１の運搬作業や施工を容易に行うことができる。
しかも、工場等で製造されたバルコニーユニット１に吊り治具１０を取り付け、この吊り治具１０を用いてバルコニーユニット１を輸送車両の荷台に運搬し、補強を兼ねて吊り治具１０を取り付けたまま輸送し、現場では吊り治具１０を用いて吊り上げてバルコニーユニット１の施工を行うことができる。すなわち、バルコニーユニット１が工場等で製造されてから、現場で建物本体に接合されるまでの間の作業効率を向上させることができるので、利便性に優れる。
【００１８】
請求項７に記載の発明は、例えば図１〜図４に示すように、請求項１〜５のいずれか一項に記載の吊り治具１０を用いるバルコニーユニット１の吊り上げ方法であって、
前記吊り治具１０を、前記床部２の長手方向両端部に配置するとともに、この吊り治具１０の横材１１を前記床部２の上面に、該床部２の短手方向に沿って設け、さらに、前記縦材１２の上端部を前記手摺壁３に固定するとともに、下端部を前記床部２に固定し、
前記縦材１２の上端部に設けられた吊り金具取付部１４に、吊りワイヤー４係止用の吊り金具５を取り付け、
前記床部２の長手方向の他側縁部に、この床部２の長手方向両端部付近に位置するようにして設けられた吊り金具取付部６に、吊りワイヤー４係止用の吊り金具５を取り付け、
前記縦材１２上端部の吊り金具５と、前記床部２の吊り金具５とに吊りワイヤー４（４ｂ）を係止してからバルコニーユニット１を吊り上げることを特徴とする。
【００１９】
請求項７に記載の発明によれば、前記吊り治具１０を、前記縦材１２の上端部を前記手摺壁３に固定するとともに、下端部を前記床部２に固定するようにして、前記バルコニーユニット１の入隅部１ａに取り付けるので、前記床部２と手摺壁３との間の接合部分等を補強することができる。これによって、例えば輸送時において前記床部２と手摺壁３との間の接合部分等に大きな負荷がかかったとしても、バルコニーユニット１の破損を確実に防止することができる。
また、前記床部２の吊り金具取付部６と、この吊り金具取付部６よりも高い位置に設けられる縦材１２上端部の吊り金具取付部１４とに、それぞれ吊り金具５を取り付けてバルコニーユニット１を吊り上げるので、バルコニーユニット１が重量のある手摺壁３側に傾くことを確実に防ぐことができる。これによって、バルコニーユニット１の運搬作業や施工を容易に行うことができる。
しかも、工場等で製造されたバルコニーユニット１に吊り治具１０を取り付け、この吊り治具１０を用いてバルコニーユニット１を輸送車両の荷台に運搬し、補強を兼ねて吊り治具１０を取り付けたまま輸送し、現場では吊り治具１０を用いて吊り上げてバルコニーユニット１の施工を行うことができる。すなわち、バルコニーユニット１が工場等で製造されてから、現場で建物本体に接合されるまでの間の作業効率を向上させることができるので、利便性に優れる。
【発明の効果】
【００２０】
本発明によれば、略トラス状の吊り治具を、縦材の上端部を手摺壁に固定するとともに、下端部を床部に固定するようにして、バルコニーユニット１の入隅部に取り付けることによって、床部と手摺壁との間の接合部分等を補強することができる。これによって、例えば輸送時において床部と手摺壁との間の接合部分等に大きな負荷がかかったとしても、バルコニーユニットの破損を確実に防止することができる。
また、高い位置に設けられる吊り金具が手摺壁側に配置されることから、バルコニーユニットを吊り上げた際に、バルコニーユニットが重量のある手摺壁側に傾くことを確実に防ぐことができる。これによって、バルコニーユニットの運搬作業や施工を容易に行うことができる。
しかも、工場等で製造されたバルコニーユニットに吊り治具を取り付け、この吊り治具を用いてバルコニーユニットを輸送車両の荷台に運搬し、補強を兼ねて吊り治具を取り付けたまま輸送し、現場では吊り治具を用いて吊り上げてバルコニーユニットの施工を行うことができる。すなわち、バルコニーユニットが工場等で製造されてから、現場で建物本体に接合されるまでの間の作業効率を向上させることができるので、利便性に優れる。
【図面の簡単な説明】
【００２１】
【図１】吊り治具をバルコニーユニットに取り付けるとともに、バルコニーユニットを吊り上げた状態を示す斜視図である。
【図２】吊り治具をバルコニーユニットに取り付けた状態を示す側面図である。
【図３】同、平面図である。
【図４】同、正面図である。
【発明を実施するための形態】
【００２２】
以下、図面を参照して本発明の実施の形態について説明する。
図１は、吊り治具１０をバルコニーユニット１に取り付けるとともに、この吊り治具１０を用いてバルコニーユニット１を吊り上げた状態を示す斜視図である。
このバルコニーユニット１は、平面視矩形状の床部２と、この床部２の長手方向の一側縁部に設けられる手摺壁３とを有し、側断面視Ｌ字型に形成されている。また、前記吊り治具１０は、バルコニーユニット１の入隅部１ａに取り付けられている。
【００２３】
前記バルコニーユニット１の床部２は、図１〜図４に示すように、枠体２０と、複数の床材２３…とを備えている。
前記枠体２０は、複数の床枠材２１…によって矩形枠状に組み立てられた矩形枠の内部に、根太や補強桟材等の複数の床構成材２２…を組み付けることによって形成されている。なお、床枠材２１は断面コ字型のチャンネル材が用いられている。
また、前記複数の床材２３…は、前記枠体２０の上面に敷設されて、バルコニーユニット１の床面を構成している。
【００２４】
また、前記床部２の長手方向の一側縁部には前記手摺壁３が設けられており、他側縁部には、図３に示すように、吊りワイヤー４係止用の吊り金具５を取り付けるための吊り金具取付部６が、この床部２の長手方向両端部付近に位置するようにして設けられている。
なお、吊り金具取付部６が設けられる部分には、図１および図３に示すように、床材２３が敷設されておらず、この部分は、吊り金具取付部６に吊り金具５を取り付ける作業を行うための作業用開口部２ａとされている。
【００２５】
ここで、前記吊り金具５としては、図１に示すように、頭部が環状に形成され、軸部にネジ山が形成されたアイボルトが用いられている。また、アイボルトに限られるものではなく本発明の趣旨を逸脱しない範囲で適宜変更可能である。
【００２６】
また、前記吊り金具取付部６は、図３に示すように、平面視矩形状の本体板部を備えており、平面視において縦横に交差する床枠材２１と床構成材２２との交差部付近に接合されている。
また、本体板部の中央には、前記吊り金具５挿入用のボルト孔６ａが形成されており、本体板部の下面には、前記吊り金具５に螺合するナット（図示せず）が設けられている。
【００２７】
前記バルコニーユニット１の手摺壁３は、複数の支柱３０…と、頭つなぎ３１と、外壁材３２と、防水立ち上がり３３と、バルコニー内壁３４と、笠木３５とを備えている。
【００２８】
前記複数の支柱３０…は、図２および図３に示すように、前記床部２の長手方向の一側縁部に配置された床枠材２１の上面に、該床枠材２１の長手方向に間隔をあけて立設されている。また、これら複数の支柱３０…の上端同士が、前記頭つなぎ３１によって連結されている。
【００２９】
前記外壁材３２は、図１および図２に示すように、前記複数の支柱３０…の外部側に取り付けられている。
この外壁材３２として、ＰＡＬＣ（プレキャストオートクレーブド軽量気泡コンクリート）等のコンクリート製の外壁材が用いられている。このようなコンクリート製の外壁材は重量物であるものの、耐火性に優れ、バルコニーユニット１だけでなく、このバルコニーユニット１が取り付けられる建物本体の外壁材としても用いられている。
なお、前記複数の支柱３０…の外部側には、図３に示すように、この外壁材３２を支持するための支持部３０ａが取り付けられている。
【００３０】
前記防水立ち上がり３３は、図２に示すように、前記複数の支柱３０…のバルコニー内部側の下部に設けられている。
前記バルコニー内壁３４は、前記複数の支柱３０…のバルコニー内部側において、前記防水立ち上がり３３の上方に設けられている。
なお、これら防水立ち上がり３３およびバルコニー内壁３４は、図１に示すように、前記床部２および外壁材３２の長さよりも短くなるように形成されている。すなわち、これら防水立ち上がり３３およびバルコニー内壁３４は、前記外壁材３２よりも幅狭に形成されており、外壁材３２の両端部の裏面が露出するように設定されている。
【００３１】
前記笠木３５は、図１および図２に示すように、前記頭つなぎ３１と、前記外壁材３２の上端部に設けられる高さ調整材３２ａと、前記バルコニー内壁３４の上端部とを被覆するようにして設けられている。
【００３２】
なお、上述のバルコニーユニット１は、前記手摺壁３が平面視において直線状に形成されたものであり、該バルコニーユニット１の両側に、別のバルコニーユニットを連結できるような構成となっている。別のバルコニーユニットとしては、上述のバルコニーユニット１と同じく手摺壁３が直線状のものでもよいし、手摺壁が平面視Ｌ字型に形成されたものでもよい。
【００３３】
バルコニーユニット１を吊り上げる吊りワイヤー４は、図１に示すように、１本のメインワイヤー４ａと、この１本のメインワイヤー４ａの先端部（図１では下端部）から分岐する４本のサブワイヤー４ｂ…とを備えており、メインワイヤー４ａがクレーン等に係止され、サブワイヤー４ｂ…が４つの吊り金具５にそれぞれ係止されている。
【００３４】
前記吊り治具１０は、図１〜図４に示すように、前記床部２の長手方向両端部に配置されている。
また、この吊り治具１０は、横材１１と、縦材１２と、斜材１３とを備えており、これら横材１１と縦材１２と斜材１３とを組み立てることでトラス状に形成されている。
また、横材１１と斜材１３とで形成される入隅部分には補強用のスチフナー１８が設けられている。
【００３５】
前記横材１１は、図１〜図３に示すように、前記床部２の上面に、該床部２の短手方向に沿って設けられるものであり、この横材１１としては、いわゆるリップ付きのチャンネル材が用いられている。そして、図２に示すように、このチャンネル材の開口が外側を向くように配置されている。
【００３６】
前記横材１１には、図１〜図４に示すように、この横材１１と前記床部２とを同時に把持することによって、これら横材１１と床部２とを連結する把持ブラケット１７が取り付けられている。
この把持ブラケット１７は、断面コ字型に形成されており、上面板が前記横材１１の上面に当設されており、下面板が前記床枠材２１の下面に当接されており、側面板が前記床枠材２１の内側面に当接されている。
【００３７】
前記上面板には複数のボルト孔が形成されており、これらボルト孔は、前記横材１１の上面板に形成される複数のボルト孔に対応して設けられている。そして、これら把持ブラケット１７の上面板と前記横材１１の上面板とは、ボルト１７ａおよびナット１７ｂによってボルト接合されている。
【００３８】
前記把持ブラケット１７の下面板は、前記上面板よりも床部２の短手方向に長くなるように、かつ床部２の長手方向に幅狭となるように形成されている。すなわち、前記上面板の幅寸法は、前記横材１１の上面板の幅寸法と略等しくなるように設定されており、前記下面板の幅寸法は、前記床枠材２１の下面板の内側縁部に引っ掛かっただけの状態になっている。
【００３９】
前記斜材１３は、図１および図２に示すように、前記縦材１２の上端部と、前記横材１１の手摺壁３とは反対側の端部との間に架設されている。この斜材１３としては、いわゆるリップ付きのチャンネル材が用いられている。そして、図２に示すように、このチャンネル材の開口が外側を向くように配置されている。
【００４０】
前記縦材１２は、図１〜図４に示すように、前記横材１１の手摺壁３側端部から前記手摺壁３の高さ方向に沿って設けられ、上端部が前記手摺壁３に固定されるとともに、下端部が前記床部２に固定されるものである。この縦材１２としては、いわゆる角型鋼管が用いられている。
【００４１】
また、前記縦材１２は、この縦材１２の上端部に設けられるとともに、吊りワイヤー４係止用の吊り金具５を取り付けるための吊り金具取付部１４を有している。
この吊り金具取付部１４は、図２〜図４に示すように、上面プレート１４ａと、この上面プレート１４ａに形成されるボルト孔１４ｂと、このボルト孔１４ｂに対応するようにして上面プレート１４ａの下面に固定されたナット１４ｃとを備えている。なお、前記ボルト孔１４ｂには、吊り金具５の軸部が挿入され、前記ナット１４ｃには、吊り金具５の軸部が螺合される。
【００４２】
前記縦材１２の上端部には、図１および図２に示すように、この縦材１２の上端部と前記手摺壁３の裏面とを連結する連結ブラケット１５が取り付けられている。
この連結ブラケット１５は、側面視Ｌ字型に形成されており、水平板部１５ａと、垂直板部１５ｂとを備えている。
【００４３】
前記水平板部１５ａは、前記縦材１２の吊り金具取付部１４の上面プレート１４ａに載置されるようにして設けられるものであり、上面プレート１４ａの位置から外壁材３２方向に延出している。
また、この水平板部１５ａの上面プレート１４ａと重なる部分には、前記上面プレート１４ａのボルト孔１４ｂに対応するボルト孔（図示せず）が形成されている。そして、図１に示すように、これら水平板部１５ａと上面プレート１４ａとは、前記吊り金具５によって接合されている。
【００４４】
前記垂直板部１５ｂは、前記外壁材３２の裏面に当接固定されるものであり、前記水平板部１５ａの手摺壁３側端部から上方に延出している。
この垂直板部１５ｂには、複数のボルト孔（図示せず）が形成されている。また、前記外壁材３２の裏面には、この垂直板部１５ｂの複数のボルト孔に対応するナット３２ｂが埋設されている。そして、これら垂直板部１５ｂと外壁材３２とは、ボルト１５ｃによってボルト接合されている。
【００４５】
前記縦材１２の下端部には、図２および図４に示すように、前記床部２の上面に載置固定される固定プレート１６が一体的に設けられている。
この固定プレート１６には、ボルト孔が形成されている。また、前記床部２の長手方向両端部に設けられた床枠材２１，２１には、縦材１２が固定される縦材固定位置にボルト孔が形成されており、このボルト孔と前記縦材１２のボルト孔とが互いに対応している。
そして、これら固定プレート１６と前記床枠材２１とは、ボルト１６ａおよび高ナット１６ｂによってボルト接合されている。
【００４６】
さらに、前記縦材１２の下端部側面には、前記固定プレート１６を露出させるための作業用開口部１２ａが形成されており、この作業用開口部１２ａから手や工具を入れることができるようになっている。
【００４７】
なお、本実施の形態で用いられる各ボルトは、通常のボルトの他に、例えばハイテンションボルトが用いられている。このハイテンションボルトは、高張力の鋼で作られた強度の高いボルトであり、部材同士の接合状態を向上させることができる。
【００４８】
次に、前記吊り治具１０を用いてバルコニーユニット１を吊り上げる方法について説明する。
まず、前記横材１１と、前記縦材１２と、前記斜材１３とを組み立てて、予め吊り治具１０を作製しておく。すなわち、前記縦材１２の上端部には、前記吊り金具取付部１４を設けておき、下端部には固定プレート１６を設けておく。また、前記横材１１と斜材１３との間にはスチフナー１８を取り付けておく。
【００４９】
続いて、このように予め作製された吊り治具１０を、図１に示すように、前記床部２の長手方向両端部にそれぞれ配置する。
この時、前記横材１１を、前記床部２の上面に、該床部２の短手方向に沿って設けるようにする。そして、この横材１１と前記床部２の床枠材２１とを、前記把持ブラケット１７によって把持して連結する。なお、この把持ブラケット１７の上面板は、前記横材１１の上面板とボルト接合し、把持ブラケット１７の下面板は、前記床枠材２１の下面板の内側縁部に引っ掛けるようにする。
【００５０】
なお、吊り治具１０をバルコニーユニット１に取り付ける際には、例えば図２に示すような組立輸送治具７を用いて、バルコニーユニット１を支持した上で、吊り治具１０を取り付けることが好ましい。図示はしないが、組立輸送治具７は、前記床部２の下面に複数設けられており、バルコニーユニット１を安定的に支持している。
【００５１】
続いて、前記縦材１２の上端部に、前記連結ブラケット１５を取り付ける。すなわち、この連結ブラケット１５の水平板部１５ａを、前記縦材１２の上面プレート１４ａに接合する。これら水平板部１５ａと上面プレート１４ａとの接合は、前記吊り金具５によって行う。
なお、前記縦材１２の上端部には、吊り治具１０の作製段階で、前記連結ブラケット１５を予め取り付けておいても良い。
【００５２】
続いて、この連結ブラケット１５の垂直板部１５ｂを、前記外壁材３２の裏面に固定する。すなわち、前記縦材１２の上端部を、前記連結ブラケット１５を介して、前記手摺壁３に固定する。
また、前記縦材１２の下端部を、前記床部２に固定する。すなわち、前記固定プレート１６を、前記床枠材２１の上面に載置し、これら固定プレート１６と前記床枠材２１の上面板とを、前記ボルト１６ａおよび高ナット１６ｂによってボルト接合する。
以上のようにして、吊り治具１０を、バルコニーユニット１の床部２に取り付けることができる。
【００５３】
続いて、図１に示すように、前記床部２の長手方向の他側縁部に、この床部２の長手方向両端部付近に位置するようにして設けられた吊り金具取付部６に、前記吊り金具５を取り付ける。
そして、前記縦材１２上端部の吊り金具５と、前記床部２の吊り金具５とに吊りワイヤー４のサブワイヤー４ｂをそれぞれ係止してから、クレーン等によりメインワイヤー４ａを巻き上げることによってバルコニーユニット１を吊り上げる。
以上のようにして、前記吊り治具１０を用いてバルコニーユニット１を吊り上げることができる。
【００５４】
吊り上げられたバルコニーユニット１は、その後、例えば輸送車両の荷台に運搬されたり、建物本体の側面に取り付けられたりする。
なお、前記組立輸送治具７は、吊り治具１０をバルコニーユニット１に取り付けた後もそのままにしておく。そして、輸送時に、この組立輸送治具７を、輸送車両の荷台に固定して、輸送時におけるバルコニーユニット１の安定化を図るようにしても良い。
【００５５】
本実施の形態によれば、前記横材１１と、前記縦材１２と、前記斜材１３とによって吊り治具１０を略トラス状に形成することができる。
また、略トラス状の吊り治具１０を、前記縦材１２の上端部を手摺壁３に固定するとともに、下端部を床部２に固定するようにして、バルコニーユニット１の入隅部に取り付けることによって、前記床部２と手摺壁３との間の接合部分等を補強することができる。これによって、例えば輸送時において床部２と手摺壁３との間の接合部分等に大きな負荷がかかったとしても、バルコニーユニット１の破損を確実に防止することができる。
また、高い位置に設けられる吊り金具５が手摺壁３側に配置されることから、前記バルコニーユニット１を吊り上げた際に、このバルコニーユニット１が重量のある手摺壁３側に傾くことを確実に防ぐことができる。これによって、前記バルコニーユニットの運搬作業や施工を容易に行うことができる。
しかも、工場等で製造されたバルコニーユニット１に吊り治具１０を取り付け、この吊り治具１０を用いてバルコニーユニット１を輸送車両の荷台に運搬し、補強を兼ねて吊り治具１０を取り付けたまま輸送し、現場では吊り治具１０を用いて吊り上げてバルコニーユニット１の施工を行うことができる。すなわち、前記バルコニーユニット１が工場等で製造されてから、現場で建物本体に接合されるまでの間の作業効率を向上させることができるので、利便性に優れる。
【００５６】
また、前記連結ブラケット１５によって、前記縦材１２の上端部と前記手摺壁３の裏面とを連結できるので、前記縦材１２の上端部を、前記手摺壁３の裏面に確実に固定することができる。
さらに、前記縦材１２は、前記固定プレート１６を介して、前記床部２上に確実かつ強固に立設された状態であることから、この縦材１２を介して、前記手摺壁３を補強することができる。
【００５７】
また、前記固定プレート１６を前記床部２の上面に載置し、この固定プレート１６と前記床部２の上面の縦材１２固定位置とをボルト接合することによって、前記縦材１２を、前記床部２上に確実かつ強固に立設させることができる。これによって、前記縦材１２の上端部が固定された手摺壁３を補強することができる。
【００５８】
また、前記作業用開口部１２ａから固定プレート１６を露出させることができるので、この作業用開口部１２ａから手や工具を入れることができるので、この固定プレート１６と前記床部２とを確実かつ容易に接合させることができる。
【００５９】
また、前記把持ブラケット１７によって、前記横材１１と床部２とを同時に把持することによって、これら横材１１と床部２とを確実に連結することができるので、吊り治具１０の取付作業時に、吊り治具１０が転倒することを確実に防ぐことができる。
これによって、吊り治具１０を床部２上に安定的に載置した状態で、前記縦材１２を床部２に固定したり、手摺壁３に固定したりすることができるので、吊り治具１０の取付作業を容易かつ確実に行うことができる。
【符号の説明】
【００６０】
１  バルコニーユニット
２  床部
３  手摺壁
６  吊り金具取付部
１０  吊り治具
１１  横材
１２  縦材
１３  斜材
１４  吊り金具取付部
１５  連結ブラケット
１６  固定プレート
１７  把持ブラケット
【図１】
0005603805.tif 000002
【図２】
0005603805.tif 000003
【図３】
0005603805.tif 000004
【図４】
0005603805.tif 000005